(57)【要約】【課題】設置場所が細長く、且つ空気供給がダクトまたはチューブで、設置場所の周面に均一な清浄空気を噴き出すことができる空気清浄装置を提供する。【解決手段】濾材１を円筒状に成型して中央に円状の通気通路２を貫通せしめて円筒形フィルター３を設けると共に、有底筒状体４の周壁に、前記通気通路２に連通する空気供給孔５を穿設して形成された空気取り入れ部材６を、前記円筒形フィルター３の上下端部に嵌装して、シール材により密に固定して空気清浄装置が形成される。【選択図】図３
2004205069.tif 000002
【特許請求の範囲】
【請求項１】
濾材を円筒状に成型して、中央に通気通路を備えた円筒形フィルターを形成し、且つ該円筒形フィルターの上下端部に、前記通気通路に連通する空気供給孔を穿設して形成された空気取り入れ部材を固定したことを特徴とする空気清浄装置。
【請求項２】
濾材を円筒状に成型して、中央に通気通路を備えた円筒形フィルターを形成し、且つ該円筒形フィルターの上下端部のいずれか一方に、前記通気通路に連通する空気供給孔を穿設して形成された空気取り入れ部材を固定すると共に、前記円筒形フィルターの上下端部のうち、前記空気取り入れ部材を固定していない側の前記端部に、蓋部材を固定したことを特徴とする空気清浄装置。
【請求項３】
濾材を円筒状に成型して、中央に通気通路を備えた円筒形フィルターを形成し、且つ該円筒形フィルターの上下端部に、前記通気通路に連通する空気供給孔を穿設して形成された空気取り入れ部材を固定する一方、前記各空気取り入れ部材を、通気通路内において、支持棒により連結固定したことを特徴とする空気清浄装置。
【請求項４】
濾材を円筒状に成型して、中央に通気通路を備えた円筒形フィルターを形成し、且つ該円筒形フィルターの上下端部のいずれか一方に、前記通気通路に連通する空気供給孔を穿設して形成された空気取り入れ部材を固定すると共に、前記円筒形フィルターの上下端部のうち、前記空気取り入れ部材を固定していない側の前記端部に、蓋部材を固定する一方、前記空気取り入れ部材と蓋部材とを、通気通路内において、支持棒により連結固定したことを特徴とする空気清浄装置。
【請求項５】
濾材を円筒状に成型して、中央に通気通路を備えた円筒形フィルターを形成すると共に、複数本平行に配設した前記円筒形フィルターの各上下端部に、空気取り入れ部材を固定して形成され、
前記各空気取り入れ部材は、箱体内に通気空間を備え、且つ互いに対面する内側板に前記各円筒形フィルターの各上下端開口部を、前記通気空間に臨ませて装入固定する装入孔を穿設し、且つ前記各箱体の各一方側の側板に空気供給孔をそれぞれ穿設して形成されたことを特徴とする空気清浄装置。
【請求項６】
濾材を円筒状に成型して、中央に通気通路を備えた円筒形フィルターを形成すると共に、複数本平行に配設した前記円筒形フィルターの各上下端部に、空気取り入れ部材を固定して形成され、
前記各空気取り入れ部材は、箱体内に通気空間を備え、且つ互いに対面する内側板に前記各円筒形フィルターの各上下端開口部を、前記通気空間に臨ませて装入固定する装入孔を穿設し、且つ前記各箱体の各両方側の側板に空気供給孔をそれぞれ穿設して形成されたことを特徴とする空気清浄装置。
【請求項７】
濾材を円筒状に成型して、中央に通気通路を備えた円筒形フィルターを形成すると共に、複数本平行に配設した前記円筒形フィルターの各上下端部のいずか一方に空気取り入れ部材を固定し、且つ該空気取り入れ部材を固定してない側の前記各端部に、蓋部材を固定して形成され、
前記空気取り入れ部材は、箱体内に通気空間を備え、内側板に前記各円筒形フィルターの各上下端開口部のいずれか一方側の各開口部を、前記通気空間に臨ませて装入固定する装入孔を穿設し、且つ前記箱体の一方側の側板に空気供給孔を穿設して形成されたことを特徴とする空気清浄装置。
【請求項８】
濾材を円筒状に成型して、中央に通気通路を備えた円筒形フィルターを形成すると共に、複数本平行に配設した前記円筒形フィルターの各上下端部のいずか一方に空気取り入れ部材を固定し、且つ該空気取り入れ部材を固定してない側の前記各端部に、蓋部材を固定して形成され、
前記空気取り入れ部材は、箱体内に通気空間を備え、内側板に前記各円筒形フィルターの各上下端開口部のいずれか一方側の各開口部を、前記通気空間に臨ませて装入固定する装入孔を穿設し、且つ前記箱体の両方側の側板に空気供給孔を穿設して形成されたことを特徴とする空気清浄装置。
【請求項９】
濾材を円筒状に成型して、中央に通気通路を備え、且つ上下端部に空気取り入れ部材を固定した円筒形フィルターが、噴き出し空間を備えた箱状ケーシングに収納され、
前記各空気取り入れ部材は、前記円筒形フィルターの通気通路に連通する空気供給管を外方へ突出して形成され、前記各空気供給管を前記ケーシングの正面板以外のいずれかの板面に穿設された貫挿孔に貫挿固定する一方、前記ケーシングの正面板の中央長手方向に沿って噴き出し用スリットが設けられ、且つ該噴き出し用スリットの両側に案内ガイド板を立設固定したことを特徴とする空気清浄装置。
【請求項１０】
濾材を円筒状に成型して、中央に通気通路を備え、且つ上下端部のいずれか一方に空気取り入れ部材を固定し、且つ該空気取り入れ部材を固定してない側の前記端部に、蓋部材を固定した円筒形フィルターが、噴き出し空間を備えた箱状ケーシングに収納され、
前記空気取り入れ部材は、前記円筒形フィルターの通気通路に連通する空気供給管を外方へ突出して形成され、前記空気供給管を前記ケーシングの正面板以外のいずれかの板面に穿設された貫挿孔に貫挿固定する一方、前記ケーシングの正面板の中央長手方向に沿って噴き出し用スリットが設けられ、且つ該噴き出し用スリットの両側に案内ガイド板を突設したことを特徴とする空気清浄装置。
【請求項１１】
濾材を円筒状に成型して、中央に通気通路を備え、且つ上下端部に空気取り入れ部材を固定した円筒形フィルターが、噴き出し空間を備えた箱状ケーシングに収納され、
前記各空気取り入れ部材は、前記円筒形フィルターの通気通路に連通する空気供給管を外方へ突出して形成され、前記各空気供給管を前記ケーシングのいずれかの側面板に穿設された貫挿孔に貫挿固定する一方、前記ケーシングの正面板および背面板の中央長手方向に沿って噴き出し用スリットが設けられ、且つ該各噴き出し用スリットの両側に案内ガイド板を突設したことを特徴とする空気清浄装置。
【請求項１２】
濾材を円筒状に成型して、中央に通気通路を備え、且つ上下端部のいずれか一方に空気取り入れ部材を固定し、且つ該空気取り入れ部材を固定してない側の前記端部に、蓋部材を固定した円筒形フィルターが、噴き出し空間を備えた箱状ケーシングに収納され、
前記空気取り入れ部材は、前記円筒形フィルターの通気通路に連通する空気供給管を外方へ突出して形成され、前記空気供給管を前記ケーシングのいずれかの側面板に穿設された貫挿孔に貫挿固定する一方、前記ケーシングの正面板および背面板の中央長手方向に沿って噴き出し用スリットが設けられ、且つ該各噴き出し用スリットの両側に案内ガイド板を突設したことを特徴とする空気清浄装置。
【請求項１３】
濾材を円筒状に成型して、中央に通気通路を備え、且つ上下端部に空気取り入れ部材を固定した円筒形フィルターが、噴き出し空間を備えた箱状ケーシングに収納され、
前記各空気取り入れ部材は、前記円筒形フィルターの通気通路に連通する空気供給管を外方へ突出して形成され、前記各空気供給管を前記ケーシングの背面板または一方の側面板のいずれかに穿設された貫挿孔に貫挿固定する一方、前記ケーシングの正面板および他方の側面板の中央長手方向に沿って噴き出し用スリットが設けられ、且つ該各噴き出し用スリットの両側に案内ガイド板を突設したことを特徴とする空気清浄装置。
【請求項１４】
濾材を円筒状に成型して、中央に通気通路を備え、且つ上下端部のいずれか一方に空気取り入れ部材を固定し、且つ該空気取り入れ部材を固定してない側の前記端部に、蓋部材を固定した円筒形フィルターが、噴き出し空間を備えた箱状ケーシングに収納され、
前記空気取り入れ部材は、前記円筒形フィルターの通気通路に連通する空気供給管を外方へ突出して形成され、前記空気供給管を前記ケーシングの背面板または一方の側面板のいずれかに穿設された貫挿孔に貫挿固定する一方、前記ケーシングの正面板および他方の側面板の中央長手方向に沿って噴き出し用スリットが設けられ、且つ該各噴き出し用スリットの両側に案内ガイド板を突設したことを特徴とする空気清浄装置。
【請求項１５】
濾材を円筒状に成型して、中央に通気通路を備え、且つ上下端部に空気取り入れ部材を固定した複数本の円筒形フィルターが、噴き出し空間を備えた箱状ケーシングに並列に収納され、
前記各空気取り入れ部材は、前記円筒形フィルターの通気通路に連通する空気供給管を外方へ突出すると共に、前記複数本の円筒形フィルターを一体として固定できる大きさに形成され、且つ前記各空気供給管を前記ケーシングのいずれかの側面板に穿設された貫挿孔に貫挿固定する一方、前記ケーシングの正面板および背面板の中央長手方向に沿って噴き出し用スリットが設けられ、且つ該各噴き出し用スリットの両側に案内ガイド板を突設したことを特徴とする空気清浄装置。
【請求項１６】
濾材を円筒状に成型して、中央に通気通路を備え、且つ上下端部のいずれか一方に空気取り入れ部材を固定し、且つ該空気取り入れ部材を固定してない側の前記端部に、蓋部材を固定した複数本の円筒形フィルターが、噴き出し空間を備えた箱状ケーシングに並列に収納され、
前記空気取り入れ部材は、前記円筒形フィルターの通気通路に連通する空気供給管を外方へ突出すると共に、前記複数本の円筒形フィルターを一体として固定できる大きさにして形成され、前記空気供給管を前記ケーシングのいずれかの側面板に穿設された貫挿孔に貫挿固定する一方、前記ケーシングの正面板および背面板の中央長手方向に沿って噴き出し用スリットが設けられ、且つ該各噴き出し用スリットの両側に案内ガイド板を突設したことを特徴とする空気清浄装置。
【請求項１７】
濾材を円筒状に成型して、中央に通気通路を備え、且つ上下端部に空気取り入れ部材を固定した複数本の円筒形フィルターが、噴き出し空間を備え、且つ一方の側面に突出部を備えた箱状ケーシングに斜めに収納され、
前記各空気取り入れ部材は、前記円筒形フィルターの通気通路に連通する空気供給管を外方へ突出すると共に、前記複数本の円筒形フィルターを一体として固定できる大きさにして形成され、前記各空気供給管を前記ケーシングの背面板または一方の側面板のいずれかに穿設された貫挿孔に貫挿固定する一方、前記ケーシングの正面板および突出部を構成する他方の側面板の中央長手方向に沿って噴き出し用スリットが設けられ、且つ該各噴き出し用スリットの両側に案内ガイド板を突設したことを特徴とする空気清浄装置。
【請求項１８】
濾材を円筒状に成型して、中央に通気通路を備え、且つ上下端部のいずれか一方に空気取り入れ部材を固定し、且つ該空気取り入れ部材を固定してない側の前記端部に、蓋部材を固定した複数本の円筒形フィルターが、噴き出し空間を備え、且つ一方の側面に突出部を備えた箱状ケーシングに斜めに収納され、
前記空気取り入れ部材は、前記円筒形フィルターの通気通路に連通する空気供給管を外方へ突出すると共に、前記複数本の円筒形フィルターを一体として固定できる大きさにして形成され、前記空気供給管を前記ケーシングの背面板または一方の側面板のいずれかに穿設された貫挿孔に貫挿固定する一方、前記ケーシングの正面板および突出部を構成する他方の側面板の中央長手方向に沿って噴き出し用スリットが設けられ、且つ該各噴き出し用スリットの両側に案内ガイド板を突設したことを特徴とする空気清浄装置。
【請求項１９】
請求項５・６・９・１１・１３・１５・１７のいずれか１項に記載の空気清浄装置において、各空気取り入れ部材を、円筒形フィルターの通気通路内において、支持棒により連結固定したことを特徴とする空気清浄装置。
【請求項２０】
請求項７・８・１０・１２・１４・１６・１８のいずれか１項に記載の空気清浄装置において、空気取り入れ部材と蓋部材とを、円筒形フィルターの通気通路内において、支持棒により連結固定したことを特徴とする空気清浄装置。
【発明の詳細な説明】
【０００１】
【発明の属する技術分野】本発明は、円筒形フィルターを用いた空気清浄装置に関するものである。
【０００２】
【従来の技術】従来、空気清浄装置用のフィルターは、シート状の濾材を、空気の通過面積を増やすために、鋸歯状に折込んで、額縁状の枠に装着固定する構造のものが一般的であった。そして、前記濾材を通過する空気の通過面積は、濾材の折幅と単位長さ当りの折込数の増減で調整されていた。
【０００３】
【発明が解決しようとする課題】而して、空気がフィルターを通過するときに、圧力損失分の力が濾材にかかるが、フィルターの大型化に伴い、この圧力が大きくなく、如何にしてフィルターの強度を強めるかが、今後のフィルター設計・製造の課題の一つである。
【０００４】また、他のフィルター設計・製造の課題として、フィルター面からの噴出し風速の面内均一性がある。すなわち、フィルターを構成する濾材には、厚みにばらつきがあり、結果として空気通気時の圧力損失にばらつきが発生する。また、フィルター面の上流側の風速分布も均一にすることが困難な場合が多く、結果としてフィルター面の下流側の風速分布が不均一になり、この傾向はフィルターが大型化するに従って、大きな課題になりつつある。
【０００５】そして、特にフィルターの設置場所が細長い空間で、且つ空気の供給口が細長い空間の一端部、もしくは両端部の場合、シート状の濾材を鋸歯状に折込むフィルターでは小型フィルターの製作が困難であり、また、従来の平板形フィルターでは狭い空間で空気が通過する濾材面積を増やすことが困難であるという課題があった。
【０００６】更に、平板状フィルターで構成される両面噴出し型空気清浄装置の場合、フィルターの厚みを薄くすることが困難であるという課題があった。
【０００７】本発明は、前記課題を解決すべくなされたもので、フィルター濾材を円筒状に成型して円筒形フィルターとしたものを使用することにより、該円筒形フィルターの周面より均一に、且つフィルターの長さ方向にも均一に清浄空気が噴き出すようにした空気清浄装置を提供しようとするものである。
【０００８】
【課題を解決するための手段】本発明は、濾材を円筒状に成型して、中央に通気通路を備えた円筒形フィルターを形成し、且つ前記１本または複数本の円筒形フィルターの上下端部に、前記通気通路に連通する空気供給孔を穿設して形成された空気取り入れ部材を固定して、あるいは前記１本または複数本の円筒形フィルターを、噴き出し用スリットを１本または２本設けたケーシングに収納して空気清浄装置とするか、または、
濾材を円筒状に成型して、中央に通気通路を備えた円筒形フィルターを形成し、且つ前記１本または複数本の円筒形フィルターの上下端部のいずれか一方に、前記通気通路に連通する空気供給孔を穿設して形成された空気取り入れ部材を固定すると共に、前記円筒形フィルターの上下端部のうち、前記空気取り入れ部材を固定していない側の前記端部に、蓋部材を固定して、あるいは前記１本または複数本の円筒形フィルターを、噴き出し用スリットを１本または２本設けたケーシングに収納して空気清浄装置とすることにより、上記課題を解決した。
【０００９】
【発明の実施の形態】本発明の実施の形態を図面に基づいて詳細に説明すると、図１は、本発明空気清浄装置の第１の実施の形態を示す斜視図、図２は同横断面図、図３は同縦断面図である。すなわち、本発明第１の実施の形態における空気清浄装置Ａ１は、濾材１を円筒状に成型して中央に円状の通気通路２を貫通せしめて円筒形フィルター３を設けると共に、有底筒状体４の周壁に、前記通気通路２に連通する空気供給孔５を穿設して形成された空気取り入れ部材６を、前記円筒形フィルター３の上下端部に嵌装して、シール材(図示せず)により密に固定して形成されている。
【００１０】前記構成より成る本発明第１の実施の形態における空気清浄装置Ａ１は、各空気取入れ部材６の各空気供給孔５と、図示していない送気ダクト・チューブ等の送気手段で連結された図示していないファン等の空気供給装置から、前記各空気供給孔５を介して前記通気通路２内に送気して、該通気通路２内に送気された空気を、前記空気供給装置の送風圧により、清浄空気として、前記円筒形フィルター３の周面より均一に、且つ該円筒形フィルター３の長さ方向にも均一に噴き出すよう形成されている。
【００１１】前記本発明第１の実施の形態における空気清浄装置Ａ１は、空気清浄装置の設置場所が細長く、且つ空気供給が長さ方向両端部からに限られ、更に設置場所の長さ方向および設置場所の周面に均一な清浄空気を噴き出すことが要求される場合に採用される。
【００１２】図４は、本発明の第１の実施の形態における空気清浄装置Ａ１を構成する円筒形フイルター３の長さ方向の内部圧力分布を示す説明図である。
図中、特性曲線ａは円筒形フィルター３から全く空気が噴出しないように、フィルター前面をシールした場合の、フィルター内面にかかる圧力である。曲線ｄは、空気が濾材１を均一に通過するときに発生する濾材１の圧力損失を示す。また、曲線ｂは、円筒形フイルター３内に空気が供給されるときの流れ方向の流量の減少による円筒形フィルター３内圧力の減少分を示す。
【００１３】前記空気清浄装置Ａ１の運転時は、特性曲線ａのフイルター内面にかかる圧力から、曲線ｂの円筒形フィルター３内の空気の流れ方向の流量の減少による円筒形フィルター３内の圧力の減少分を差し引いた曲線ｃの圧力が、円筒形フィルター３の内側にかかる。
【００１４】その結果、曲線ｃから空気が濾材１を均一に通過するときに、発生する濾材１の圧力損失を示す曲線ｄを差し引いた斜線部分ｅの圧力により、清浄空気の噴き出し速度が決定される。
【００１５】すなわち、円筒形フィルター３内の空気の流れ方向の流量の減少による円筒形フィルター３内の圧力の減少分が、該円筒形フィルター３の内側にかかる圧力に対して充分に小さく、清浄空気の噴き出し速度を決める斜線部分ｅの圧力分布が、長さ方向で均一になるように、円筒形フィルター３の径・長さおよび円筒形フィルター３の濾材１の圧力損失を決定することにより、所望する空気清浄装置Ａ１が得られる。
【００１６】図５は、本発明空気清浄装置の第２の実施の形態を示す斜視図、図６は同縦断面図である。前記第１の実施の形態における空気清浄装置Ａ１が、円筒形フィルター３の上下端部に空気供給孔５を穿設した空気取り入れ部材６が、それぞれ嵌装固定されているのに対し、第２の実施の形態における空気清浄装置Ａ２は、前記円筒形フィルター３の上端部に空気供給孔５を穿設した空気取り入れ部材６を嵌装すると共に、該円筒形フィルター３の下端部に凹状の蓋部材７を嵌装して、それぞれシール材(図示せず)により密に固定して形成されている。
【００１７】前記第２の実施の形態における空気清浄装置Ａ２は、空気清浄装置の設置場所が細長く、且つ空気供給がダクトまたはチューブで、更に設置場所の長さ方向および設置場所の周面に均一な清浄空気を噴き出すことが要求される場合に採用される。
【００１８】図７は、本発明空気清浄装置の第３の実施の形態を示す斜視図、図８は同縦断面図である。すなわち、本発明の第３の実施の形態における空気清浄装置Ａ３は、前記第１の実施の形態における空気清浄装置Ａ１を構成する各空気取り入れ部材６を、通気通路２内において、支持棒１０で連結固定して形成されたものである。前記各空気取り入れ部材６を支持棒１０で連結固定することにより、空気清浄装置Ａ３の組立て時に、円筒形フィルター３の長さを調整すると同時に、該円筒形フィルター３に余分な力がかかることを防いで補強の役目を果たし、更に前記各空気取り入れ部材６と円筒形フィルター３との隙間のシール作業が容易に行えるという作用を有する。そして、その他の作用は前記空気清浄装置Ａ１と同一であるので、説明を省略する。
【００１９】図９は、本発明空気清浄装置の第４の実施の形態を示す斜視図、図１０は同縦断面図である。すなわち、本発明第４の実施の形態における空気清浄装置Ａ４は、前記第２の実施の形態における空気清浄装置Ａ２を構成する空気取り入れ部材６と蓋部材７とを、通気通路２内において、支持棒１０で連結固定して形成されている。そして、前記支持棒１０を備えたことによる作用は、前記第３の実施の形態における空気清浄装置Ａ３と同一であり、またその他の作用は、前記第２の実施の形態による空気清浄装置Ａ２と同一であるので、説明を省略する。
【００２０】図１１は、本発明空気清浄装置の第５の実施の形態を示す斜視図、図１２は同縦断面図である。前記第１の実施の形態における空気清浄装置Ａ１が、１本の円筒形フィルター３により形成されているのに対し、該第５の実施の形態における空気清浄装置Ａ５は、複数本の円筒形フィルター３を用いて形成されている点が異なっている。
【００２１】すなわち、第５の実施の形態における空気清浄装置Ａ５は、図１１・図１２に示すように、わずかな間隔を置いて平行に複数本配設された円筒形フィルター３の各上下端部を、各空気取り入れ部材１１に嵌装して、シール材(図示せず)により密に固定されている。
【００２２】前記各空気取り入れ部材１１は、前記複数本の円筒形フィルター３の各上下端部を嵌装して固定すべく、横長筒状の箱体１２の内部に通気空間１３を備え、且つ互いに対面する内側板１４には、前記各円筒形フィルター３の各上下端部を装入する装入孔１５をそれぞれ穿設して形成されている。そして、前記各空気取り入れ部材１１の各装入孔１５内に、前記各円筒形フィルター３の各上下端部を装入して、該各円筒形フィルター３の上下各開口端部３ａを通気空間１３に臨ませて、シール材(図示せず)により密に固定し、更に前記各空気取り入れ部材１１の各一方側の側板１６に、前記通気空間１３と連通する空気供給孔１７を穿設して本発明空気清浄装置Ａ５が形成されている。
【００２３】前記構成より成る本発明第５の実施の形態における空気清浄装置Ａ５は、各空気取り入れ部材１１の各空気供給孔１７と連結された図示していないファン等の空気供給装置から、前記各空気供給孔１７および通気空間１３を介して、前記各円筒形フィルター３の各通気通路２に送気して、該各通気通路２に送気された空気を、前記空気供給装置の送風圧により、清浄空気として、前記各円筒形フィルター３の周面より均一に、且つ該各円筒形フィルター３の長さ方向にも均一に噴き出すよう形成されている。
【００２４】図１３は、本発明空気清浄装置の第６の実施の形態を示す縦断面図である。前記第５の実施の形態における空気清浄装置Ａ５が、各空気取り入れ部材１１の一方側の側板１６に空気供給孔１７を穿設して形成されているのに対し、第６の実施の形態における空気清浄装置Ａ６は、前記各空気取り入れ部材１１の両方側の側板１６にそれぞれ空気供給孔１７を穿設して形成されている。
そして、前記第６の実施の形態による作用は、空気供給孔１７が４個穿設されているので、前記２個の空気供給孔１７を穿設した第５の実施の形態における空気清浄装置Ａ５より、多くの風量が得られるという作用を有するが、その他の作用は、前記第５の実施の形態における作用と同一であるので、説明を省略する。
【００２５】図１４は、本発明空気清浄装置の第７の実施の形態を示す縦断面図である。前記第５の実施の形態における空気清浄装置Ａ５が、複数本の円筒形フィルター３の各上下両端部に、空気供給孔１７を穿設した空気取り入れ部材１１が密に固定されて形成されているのに対し、第７の実施の形態における空気清浄装置Ａ７は、複数本の円筒形フィルター３の各上端部に、一方側の側板１６に空気供給孔１７を穿設した空気取り入れ部材１１が密に固定されると共に、前記円筒形フィルター３の各下端部には、凹状の蓋部材１８をシール材(図示せず)により密に固定して形成されている。そして、前記構成を有する第７の実施の形態による空気清浄装置Ａ７の作用は、前記第５の実施の形態における空気清浄装置Ａ５に比して、風量が劣るという以外は同一であるので、説明を省略する。
【００２６】図１５は、本発明空気清浄装置の第８の実施の形態を示す縦断面図である。前記第７の実施の形態における空気清浄装置Ａ７が、空気取り入れ部材１１の一方側の側板１６に空気供給孔１７が穿設されているのに対し、第８の実施の形態における空気清浄装置Ａ８は、空気取り入れ部材１１の両方側の側板１６にそれぞれ空気供給孔１７が穿設されている。そして、第８の実施の形態における空気清浄装置Ａ８の作用は、前記第７の実施の形態における空気清浄装置Ａ７に比して、風量が多いという以外は同一であるので、説明を省略する。
【００２７】また、図１６・図１７はいずれも本発明第５の実施の形態における空気清浄装置Ａ５の変形を示す一部を切欠いた斜視図であり、図１６はＬ形状に形成された空気取り入れ部材１１に、複数本円筒形フィルター３が配設された空気清浄装置であり、また図１７はＳ形状に形成された空気取り入れ部材１１に、複数本円筒形フィルター３が配設された空気清浄装置である。そして、これら各空気清浄装置の作用は前記空気清浄装置Ａ５と同一であるので、説明を省略する。更に、図示していないが、前記空気清浄装置Ａ６〜Ａ８の変形として、Ｌ形状に複数本円筒形フィルター３が配設された空気清浄装置と、Ｓ形状に複数本円筒形フィルター３が配設された空気清浄装置とがある。そして、これら各空気清浄装置の作用は該各空気清浄装置Ａ６〜Ａ８と同一であるので、説明を省略する。
【００２８】すなわち、前記本発明の第５〜第８の実施の形態における空気清浄装置Ａ５〜Ａ８は、円筒形フィルター３を複数本任意の形に配設することにより、該各円筒形フィルター３の直径方向の厚みで任意の形に構成可能で、且つ両面噴き出しが可能であるため、両面噴き出しが必要とされる場合に採用される。更に、空気供給孔１７の数は、１・２および４個穿設された種々のタイプの空気清浄装置Ａ５〜Ａ８が存在するので、必要なものを選択採用できる。 
【００２９】図１８は、本発明空気清浄装置の第９の実施の形態を示す斜視図、図１９は同縦断面図である。すなわち、第９の実施の形態における空気清浄装置Ａ９は、１本の円筒形フィルター３を用いた、特にエアカーテンを形成する空気清浄装置である。
【００３０】第９の実施の形態における空気清浄装置Ａ９は、図１８・図１９に示すように、上下端部に空気取り入れ部材２１をそれぞれ嵌装して、シール材(図示せず)により密に固定した円筒形フィルター３が、該円筒形フィルター３より径大で、噴き出し空間２２を備えた箱状のケーシング２３に収納されると共に、該ケーシング２３の正面板２３ａの中央長手方向に沿って噴き出し用スリット２４が設けられ、且つ該噴き出し用スリット２４の両側に案内ガイド板２５を突設して形成されている。
【００３１】前記各空気取り入れ部材２１は、有底筒状体２６の周壁に前記円筒形フィルター３の通気通路２に連通する空気供給管２７を外方へ突出して形成されている。そして、前記構成より成る各空気取り入れ部材２１を、円筒形フィルター３の上下端部に嵌装して、シール材(図示せず)により密に固定すると共に、前記ケーシング２３の背面板２３ｂの上下部に、前記各空気供給管２７を貫挿する貫挿孔２８がそれぞれ穿設され、該各貫挿孔２８に前記空気供給管２７を貫挿して、シール材(図示せず)により密に固定されている。なお、図１８・図１９においては、貫挿孔２８は背面板２３ｂに穿設されているが、前記噴き出し用スリット２４を設けた正面板２３ａ以外であれば、いずれの板面に穿設してもよい。
【００３２】前記構成より成る本発明第９の実施の形態における空気清浄装置Ａ９は、各空気取り入れ部材２１の各空気供給管２７と連結された図示していないファン等の空気供給装置から、該各空気供給管２７を介して前記各通気通路２に送気して、該通気通路２に送気された空気を、前記空気供給装置の送風圧により、清浄空気として、前記円筒形フィルター３の周面より均一に、且つ前記円筒形フィルター３の長さ方向にも均一に、ケーシング２３の噴き出し空間２２に噴き出し、更に該噴出し空間２２を介して噴き出し用スリット２４から噴き出され、エアカーテン２９を形成する。
【００３３】図２０は、本発明空気清浄装置の第１０の実施の形態を示す斜視図、図２１は同縦断面図である。前記第９の実施の形態における空気清浄装置Ａ９が、円筒形フィルター３の上下端部に、空気供給管２７を備えた空気取り入れ部材２１がそれぞれ嵌装して固定されているのに対し、第１０の実施の形態における空気清浄装置Ａ１０は、前記円筒形フィルター３の上端部に、空気供給管２７を備えた空気取り入れ部材２１を嵌装すると共に、該円筒形フィルター３の下端部に凹状の蓋部材３０を嵌装して、シール材(図示せず)によりそれぞれ密に固定し、更にケーシング２３の正面板２３ａに前記第９の実施の形態におけると同一構成の噴き出し用スリット２４と案内ガイド板２５を設けると共に、背面板２３ｂの上方部に、前記空気供給管２７を貫挿する貫挿孔２８が穿設され、該貫挿孔２８に前記空気供給管２７を貫挿して、シール材(図示せず)により密に固定して形成されている。なお、前記ケーシング２３の下方部には、当然ながら貫挿孔は不要であるので、設けられていない。また、図２０・図２１においては、貫挿孔２８は背面板２３ｂに穿設されているが、前記噴き出し用スリット２４を設けた正面板２３ａ以外であれば、いずれの板面に穿設してもよい。前記空気清浄装置Ａ１０は、前記空気清浄装置Ａ９に比して、風量が少ないだけでその他の作用は同一であるので、説明を省略する。
【００３４】図２２は、本発明空気清浄装置の第１１の実施の形態を示す斜視図である。前記第９の実施の形態における空気清浄装置Ａ９の噴き出し用スリット２４および案内ガイド板２５が、ケーシング２３の正面板２３ａのみに設けられているのに対し、第１１の実施の形態における空気清浄装置Ａ１１は、噴き出し用スリット２４と案内ガイド板２５が、ケーシング２３の背面板２３ｂにも形成されている。更に、前記第９の実施の形態における空気清浄装置Ａ９においては、背面板２３ｂに貫挿孔２８が穿設されているが、第１１の実施の形態における空気清浄装置Ａ１１においては、一方の側面板２３ｃの上下部に各空気供給管２７を貫挿する各貫挿孔２８が穿設され、該各貫挿孔２８に前記空気供給管２７を貫挿して、シール材(図示せず)により密に固定して形成されている。前記第１１の実施の形態における空気清浄装置Ａ１１は、正面側と背面側の両方にエアカーテン２９を形成する場合に使用する。なお、図２２においては、貫挿孔２８は一方の側面板２３ｃに穿設されているが、他方の側面板２３ｄに穿設してもよい。
【００３５】図２３は、本発明空気清浄装置の第１２の実施の形態を示す斜視図である。第１２の実施の形態における空気清浄装置Ａ１２は、前記第１１の実施の形態におけると同様に、噴き出し用スリット２４および案内ガイド板２５が、ケーシング２３の正面板２３ａおよび背面板２３ｂに形成されると共に、前記第１０の実施の形態におけると同様に、円筒形フィルター３の上端部に、空気供給管２７を備えた空気取り入れ部材２１を嵌装すると共に、前記円筒形フィルター３の下端部に凹状の蓋部材３０を嵌装して、シール材(図示せず)によりそれぞれ密に固定し、更にケーシング２３の一方の側面板２３ｃの上方部に、前記空気供給管２７を貫挿する貫挿孔２８が穿設され、該貫挿孔２８に前記空気供給管２７を貫挿して、シール材(図示せず)により密に固定して形成されている。なお、前記ケーシング２３の下方部には、当然ながら貫挿孔は不要であるので、設けられていない。また、図２３においては、貫挿孔２８は一方の側面板２３ｃに穿設されているが、他方の側面板２３ｄに穿設してもよい。前記空気清浄装置Ａ１２は、前記空気清浄装置Ａ１１に比して、風量が少ないだけで、その他の作用は同一であるので、説明を省略する。
【００３６】図２４は、本発明空気清浄装置の第１３の実施の形態を示す斜視図である。前記第１１の実施の形態における空気清浄装置Ａ１３の噴き出し用スリット２４および案内ガイド板２５が、ケーシング２３の正面板２３ａと背面板２３ｂに形成されているのに対し、第１３の実施の形態における空気清浄装置Ａ１３においては、噴き出し用スリット２４が正面板２３ａと他方の側面板２３ｄに形成されている。そして、第１３の実施の形態における空気清浄装置Ａ１３は、前記第１１の実施の形態におけると同様に、一方の側面板２３ｃの上下部に各空気供給管２７を貫挿する各貫挿孔２８が穿設され、該各貫挿孔２８に前記空気供給管２７を貫挿して、シール材(図示せず)により密に固定して形成されている。前記第１３の実施の形態における空気清浄装置Ａ１３は、正面側と側面側の両方にエアカーテン２９を形成する場合に使用する。なお、図２４においては、貫挿孔２８は一方の側面板２３ｃに穿設されているが、背面板２３ｂに穿設してもよい。
【００３７】図２５は、本発明空気清浄装置の第１４の実施の形態を示す斜視図である。第１４の実施の形態における空気清浄装置Ａ１４は、前記第１３の実施の形態におけると同様に、噴き出し用スリット２４および案内ガイド板２５が、ケーシング２３の正面板２３ａおよび他方の側面板２３ｄに形成されている。そして、第１４の実施の形態における空気清浄装置Ａ１４は、前記第１２の実施の形態におけると同様に、円筒形フィルター３の上端部に、空気供給管２７を備えた空気取り入れ部材２１を嵌装すると共に、前記円筒形フィルター３の下端部に凹状の蓋部材３０を嵌装して、シール材(図示せず)によりそれぞれ密に固定し、更にケーシング２３の一方の側面板２３ｃの上方部に、前記空気供給管２７を貫挿して、シール材(図示せず)により密に固定して形成されている。なお、前記ケーシング２３の下方部には、当然ながら貫挿孔は不要であるので、設けられていない。また、図２５においては、貫挿孔２８は一方の側面板２３ｃに穿設されているが、背面板２３ｂに穿設してもよい。前記空気清浄装置Ａ１４は、前記空気清浄装置Ａ１３に比して、風量が少ないだけで、その他の作用は同一であるので、説明を省略する。
【００３８】図２６は、本発明空気清浄装置の第１５の実施の形態を示す斜視図、図２７は同縦断面図である。前記図２２に示す第１１の実施の形態における空気清浄装置Ａ９が、１本の円筒形フィルター３を用いているのに対し、第１５の実施の形態における空気清浄装置Ａ１５は、複数本（図２６・図２７においては２本）の円筒形フィルター３を並列にして用いている。すなわち、図２６・図２７に示すように、前記２本の円筒形フィルター３の上下端部に、前記各円筒形フィルター３を一体とする空気取り入れ部材３１をそれぞれ嵌装して、シール材(図示せず)により密に固定した２本の円筒形フィルター３が、該並列にした２本の円筒形フィルター３より巾広で、且つ噴き出し空間３２を備えた箱状のケーシング３３内に収納されると共に、該ケーシング３３の正面板３３ａおよび背面板３３ｂの中央長手方向に沿って、噴き出し用スリット３４が設けられ、更に該噴き出し用スリット３４の両側に案内ガイド板３５を突設して形成されている。
前記各空気取り入れ部材３１は、前記各円筒形フィルター３を一体として、上下端部に嵌装する大きさの楕円形状をした有底筒状体３６により形成されると共に、該有底筒状体３６の一方の側面側中央に、前記各円筒形フィルター３の通気通路２に連通する空気供給管３７をそれぞれ外方へ突出して形成されている。
【００３９】そして、前記構成より成る各空気取り入れ部材３１を、前記各円筒形フィルター３の上下端部に嵌装して、シール材により密に固定すると共に、前記ケーシング３３の一方の側面板３３ｃの上下部に、前記各空気供給管３７を貫挿する貫挿孔３８がそれぞれ穿設され、該各貫挿孔３８に前記各空気供給管３７を貫挿して、シール材(図示せず)により密に固定されている。
【００４０】前記構成より成る本発明第１５の実施の形態における空気清浄装置Ａ１５は、各空気取り入れ部材３１の各空気供給管３７と連結された図示していないファン等の空気供給装置から、前記各空気供給管３７を介して前記各円筒形フィルター３の各通気通路２に送気して、該各通気通路２に送気された空気を、前記空気供給装置の送風圧により、清浄空気として、前記各円筒形フィルター３の周面より均一に、且つ前記各円筒形フィルター３の長さ方向にも均一にケーシング３３の噴き出し空間３２に噴き出し、更に該噴出し空間３２を介して噴き出し用スリット３４から噴き出され、正面側と背面側においてエアカーテン３９を形成する。なお、図２６・図２７においては、貫挿孔３８は一方の側面板３３ｃに穿設されているが、他方の側面板３３ｄに穿設してもよい。
【００４１】図２８は、本発明空気清浄装置の第１６の実施の形態を示す斜視図、図２９は同縦断面図である。第１６の実施の形態における空気清浄装置Ａ１６は、前記第１５の実施の形態におけると同様に、複数本（図２８・図２９においては２本）の円筒形フィルター３を並列にして用いており、また噴き出し用スリット３４および案内ガイド板３５が、ケーシング３３の正面板３３ａおよび背面板３３ｂに形成されている。そして、前記各円筒形フィルター３の上端部に、前記第１５の実施の形態におけると同一構成の空気供給管３７を備えた空気取り入れ部材３１を、また前記各円筒形フィルター３の下端部に、前記各円筒形フィルター３を一体とする有底の楕円形状をした蓋部材４０を嵌装して、シール材(図示せず)によりそれぞれ密に固定し、更にケーシング３３の一方の側面板３３ｃの上方部に、前記空気供給管３７を貫挿する各貫挿孔３８が穿設され、該各貫挿孔３８に前記空気供給管３７を貫挿して、シール材(図示せず)により密に固定して形成されている。なお、前記ケーシング３３の下方部には、当然ながら貫挿孔は不要であるので、設けられていない。また、図２８・図２９においては、貫挿孔３８は一方の側面板３３ｃに穿設されているが、他方の側面板３３ｄに穿設してもよい。前記空気清浄装置Ａ１６は、前記空気清浄装置Ａ１５に比して、風量が少ないだけで、その他の作用は同一であるので、説明を省略する。
【００４２】図３０は、本発明空気清浄装置の第１７の実施の形態を示す斜視図である。前記第１５の実施の形態における空気清浄装置Ａ１５が、２本の円筒形フィルター３を巾広のケーシング３３に並列して配設されているのに対し、第１７の実施の形態における空気清浄装置Ａ１７は、一方の側面に突出部４１を備えた断面Ｌ字状のケーシング３３に複数本（図３０においては２本）の円筒形フィルター３が斜めに配設されている。
【００４３】すなわち、図３０に示すように、前記各円筒形フィルター３の上下端部に、前記各円筒形フィルター３を一体とする空気取り入れ部材３１をそれぞれ嵌装して、シール材(図示せず)により密に固定した２本の円筒形フィルター３が、噴き出し空間３２を備えた前記Ｌ字状のケーシング３３内に均一に収納されると共に、該ケーシング３３の正面板３３ａと、突出部４１を構成する４他方側の側面板３３ｄの中央長手方向に沿って、噴き出し用スリット３４がそれぞれ設けられ、且つ該噴き出し用スリット３４の両側に案内ガイド板３５を突設して形成されている。前記各空気取り入れ部材３１は、前記各円筒形フィルター３を一体として、その上下端部に嵌装する大きさの有底筒状体３６の一方の側面側中央に、前記各円筒形フィルター３の各通気通路２に連通する空気供給管３７を外方へ突出して形成されている。
【００４４】そして、前記構成より成る各空気取り入れ部材３１を、前記各円筒形フィルター３の上下端部に嵌装して、シール材により密に固定すると共に、前記ケーシング３３の一方の側面板３３ｃの上下部に、空気供給管３７を貫挿する貫挿孔３８がそれぞれ穿設され、該各貫挿孔３８に前記各空気供給管３７をそれぞれ貫挿して、シール材(図示せず)により密に固定されている。
【００４５】前記構成より成る本発明第１７の実施の形態における空気清浄装置Ａ１７は、各空気取り入れ部材３１の各空気供給管３７と連結された図示していないファン等の空気供給装置から、前記各空気供給管３７を介して前記各円筒形フィルター３の各通気通路２に送気して、該各通気通路２に送気された空気を、前記空気供給装置の送風圧により、清浄空気として、前記各円筒形フィルター３の周面より均一に、且つ前記各円筒形フィルター３の長さ方向にも均一に、ケーシング３３の噴き出し空間３２に噴き出し、更に該噴出し空間３２を介して噴き出し用スリット３４から噴き出され、正面側と突出部４１側においてエアカーテン３９を形成する。なお、図３０においては、貫挿孔３８は一方の側面板３３ｃに穿設されているが、背面板３３ｂに穿設してもよい。
【００４６】図３１は、本発明空気清浄装置の第１８の実施の形態を示す斜視図である。第１８の実施の形態における空気清浄装置Ａ１８は、前記第１７の実施の形態における空気清浄装置Ａ１７と同様に、一方の側面に突出部４１を備えた断面Ｌ字状のケーシング３３に複数本（図３１においては２本）の円筒形フィルター３が斜めに配設されている。そして、前記各円筒形フィルター３の上端部に、前記第１７の実施の形態におけると同一構成の空気供給管３７を備えた空気取り入れ部材３１を、また前記各円筒形フィルター３の下端部に、前記各円筒形フィルター３を一体とする有底の楕円形状をした蓋部材４０を嵌装して、シール材(図示せず)によりそれぞれ密に固定し、更にケーシング３３の一方の側面板３３ｃの上方部に、前記空気供給管３７を貫挿する各貫挿孔３８が穿設され、該各貫挿孔３８に前記空気供給管３７を貫挿して、シール材(図示せず)により密に固定して形成されている。なお、前記ケーシング３３の下方部には、当然ながら貫挿孔は不要であるので、設けられていない。また、図３１においては、貫挿孔３８は一方の側面板３３ｃに穿設されているが、背面板３３ｂに穿設してもよい。前記空気清浄装置Ａ１８は、前記空気清浄装置Ａ１７に比して、風量が少ないだけで、その他の作用は同一であるので、説明を省略する。
【００４７】前記第５〜第１８の実施の形態における空気清浄装置を構成する各円筒形フィルター３には、前記第３・第４の実施の形態において説明した支持棒１０を配設したものも、図示していないが、当然使用することができる。そして、前記支持棒１０を配設した場合の効果は、第５〜第１８の実施の形態に関する効果の外に、前記第３・第４の実施の形態における効果が付加される。
【００４８】
【発明の効果】本発明空気清浄装置は、濾材を円筒状に成型した円筒形フィルターを使用することにより、円筒形フィルターの周面より均一に、且つフィルターの長さ方向にも均一に清浄空気を噴き出すことができる。また、本発明空気清浄装置は、空気清浄装置の設置場所が細長く、且つ空気供給がダクトまたはチューブで、更に設置場所の周面に均一な清浄空気を噴き出すことが要求される場合に最適である。また更に、本発明空気清浄装置は、円筒形フィルターを噴き出しスリットを設けたケーシングを収納することにより、噴き出しスリットより清浄空気を噴き出して、１方向および２方向にエアカーテンを形成することができる等、優れた効果を奏することができる。
【図面の簡単な説明】
【図１】本発明空気清浄装置の第１の実施の形態を示す斜視図である。
【図２】同横断面図である。
【図３】同縦断面図である。
【図４】本発明空気清浄装置を構成する円筒形フィルターの長さ方向の内部圧力分布を示す説明図である。
【図５】本発明空気清浄装置の第２の実施の形態を示す斜視図である。
【図６】同縦断面図である。
【図７】本発明空気清浄装置の第３の実施の形態を示す斜視図である。
【図８】同縦断面図である。
【図９】本発明空気清浄装置の第４の実施の形態を示す斜視図である。
【図１０】同縦断面図である。
【図１１】本発明空気清浄装置の第５の実施の形態を示す斜視図である。
【図１２】同縦断面図である。
【図１３】本発明空気清浄装置の第６の実施の形態を示す縦断面図である。
【図１４】本発明空気清浄装置の第７の実施の形態を示す縦断面図である。
【図１５】本発明空気清浄装置の第８の実施の形態を示す縦断面図である。
【図１６】本発明空気清浄装置の第５の実施の形態の変形を示す一部を切り欠いた斜視図である。
【図１７】本発明空気清浄装置の第５の実施の形態の変形を示す一部を切り欠いた斜視図である。
【図１８】本発明空気清浄装置の第９の実施の形態を示す斜視図である。
【図１９】同縦断面図である。
【図２０】本発明空気清浄装置の第１０の実施の形態を示す斜視図である。
【図２１】同縦断面図である。
【図２２】本発明空気清浄装置の第１１の実施の形態を一部を切り欠いて示す斜視図である。
【図２３】本発明空気清浄装置の第１２の実施の形態を一部を切り欠いて示す斜視図である。
【図２４】本発明空気清浄装置の第１３の実施の形態を一部を切り欠いて示す斜視図である。
【図２５】本発明空気清浄装置の第１４の実施の形態を一部を切り欠いて示す斜視図である。
【図２６】本発明空気清浄装置の第１５の実施の形態を示す斜視図である。
【図２７】同縦断面図である。
【図２８】本発明空気清浄装置の第１６の実施の形態を示す斜視図である。
【図２９】同縦断面図である。
【図３０】本発明空気清浄装置の第１７の実施の形態を一部を切り欠いて示す斜視図である。
【図３１】本発明空気清浄装置の第１８の実施の形態を一部を切り欠いて示す斜視図である。
【符号の説明】
Ａ１〜Ａ１８  空気清浄装置、  １  濾材、  ２  通気通路、  ３  円筒形フィルター、  ５  空気供給孔、  ６  空気取り入れ部材、  ７  蓋部材、  １０支持棒、  １１  空気取り入れ部材、  １２  箱体、  １３  通気空間、  １４  内側板、  １５  装入孔、  １６  側板、  １７  空気供給孔、  ２１  空気取り入れ部材、  ２２  噴き出し空間、  ２３  ケーシング、  ２３ａ  正面板、  ２３ｂ  背面板、  ２３ｃ  一方の側板、  ２３ｄ  他方の側板、  ２４噴き出し用スリット、  ２５  案内ガイド板、  ２７  空気供給管、  ２８  貫挿孔、  ３０  蓋部材、  ３１  空気取り入れ部材、  ３２  噴き出し空間、３３  ケーシング、  ３３ａ  正面板、  ３３ｂ  背面板、  ３３ｃ  一方の側板、  ３３ｄ  他方の側板、  ３４  噴き出し用スリット、  ３５  案内ガイド板、  ３７  空気供給管、  ３８  貫挿孔、  ４０  蓋部材、  ４１  突出部。
【図１】
2004205069.tif 000003
【図２】
2004205069.tif 000004
【図３】
2004205069.tif 000005
【図４】
2004205069.tif 000006
【図５】
2004205069.tif 000007
【図６】
2004205069.tif 000008
【図７】
2004205069.tif 000009
【図８】
2004205069.tif 000010
【図９】
2004205069.tif 000011
【図１０】
2004205069.tif 000012
【図１１】
2004205069.tif 000013
【図１２】
2004205069.tif 000014
【図１３】
2004205069.tif 000015
【図１４】
2004205069.tif 000016
【図１５】
2004205069.tif 000017
【図１６】
2004205069.tif 000018
【図１７】
2004205069.tif 000019
【図１８】
2004205069.tif 000020
【図１９】
2004205069.tif 000021
【図２０】
2004205069.tif 000022
【図２１】
2004205069.tif 000023
【図２２】
2004205069.tif 000024
【図２３】
2004205069.tif 000025
【図２４】
2004205069.tif 000026
【図２５】
2004205069.tif 000027
【図２６】
2004205069.tif 000028
【図２７】
2004205069.tif 000029
【図２８】
2004205069.tif 000030
【図２９】
2004205069.tif 000031
【図３０】
2004205069.tif 000032
【図３１】
2004205069.tif 000033